(57)【特許請求の範囲】
【請求項１】
所定空間に設けられた照明負荷の相関色温度を調節する調色、および前記照明負荷の光出力を可変として、前記所定空間の照度を調整する調光を行う照明制御装置であって、
午前中の所定時刻から正午付近までの第１の時間帯において、前記照明負荷の相関色温度を第１の相関色温度に調節し、前記所定空間の照度を第１の照度に調節し、前記第１の時間帯以降に設定した午後の第２の時間帯において、前記照明負荷の相関色温度を、前記第１の相関色温度から第２の相関色温度まで時間の経過に伴って低下させ、前記所定空間の照度を、前記第１の照度から第２の照度まで時間の経過に伴って低下させ、
前記第１の相関色温度は、昼白色より高く、かつ昼光色以下の相関色温度であり、
前記第２の相関色温度は、昼白色より低く、かつ電球色より高い相関色温度である照明制御部を備える
ことを特徴とする照明制御装置。
【請求項２】
前記照明制御部は、前記第２の時間帯において、前記照明負荷の相関色温度および前記所定空間の照度を連動して低下させることを特徴とする請求項１記載の照明制御装置。
【請求項３】
前記第１の照度は、前記所定空間における水平面照度が５００ｌｘ以上であることを特徴とする請求項１または２記載の照明制御装置。
【請求項４】
前記第２の時間帯は、午後２時付近から開始することを特徴とする請求項１乃至３いずれか記載の照明制御装置。
【請求項５】
前記第２の照度は、前記所定空間における水平面照度が３００ｌｘ以上５００ｌｘ以下であることを特徴とする請求項１乃至４いずれか記載の照明制御装置。
【請求項６】
前記照明制御部は、前記第１の時間帯と前記第２の時間帯との間に、前記所定空間の照度を前記第１の照度より低い第３の照度に低下させる第３の時間帯を設けることを特徴とする請求項１乃至５いずれか記載の照明制御装置。
【請求項７】
前記所定空間における人の在・不在を検出する人検知部を備え、
前記照明制御部は、
前記人検知部が人を検出している場合、前記第１の時間帯における前記照明負荷の相関色温度および前記所定空間の照度を、前記第１の相関色温度および前記第１の照度にそれぞれ調節し、前記第２の時間帯における前記照明負荷の相関色温度および前記所定空間の照度を、前記第１の相関色温度および前記第１の照度から前記第２の相関色温度および前記第２の照度まで、時間の経過に伴ってそれぞれ低下させ、
前記人検知部が人を検出していない場合、前記所定空間の照度を、現在時刻において前記人検知部が人を検出している場合の照度より低下させ、前記照明負荷の相関色温度を、現在時刻において前記人検知部が人を検出している場合の相関色温度に調節する
ことを特徴とする請求項１乃至６いずれか記載の照明制御装置。
【請求項８】
外光が入射する前記所定空間の照度を検出する照度検知部を備えて、
前記照明制御部は、前記照度検知部が検出した前記所定空間の照度に基づいて、前記照明負荷の光出力を制御する
ことを特徴とする請求項１乃至７いずれか記載の照明制御装置。
【請求項９】
前記照明制御部は、前記第１の時間帯の直前に設けた第４の時間帯において、前記所定空間の照度を、前記第１の照度より低い第４の照度に調節することを特徴とする請求項１乃至８いずれか記載の照明制御装置。
【請求項１０】
所定空間に設けられた照明負荷と、前記照明負荷の相関色温度を調節する調色、および前記照明負荷の光出力を可変として、前記所定空間の照度を調整する調光を行う照明制御装置とを備え、
前記照明制御装置は、午前中の所定時刻から正午付近までの第１の時間帯において、前記照明負荷の相関色温度を第１の相関色温度に調節し、前記所定空間の照度を第１の照度に調節し、前記第１の時間帯以降に設定した午後の第２の時間帯において、前記照明負荷の相関色温度を、前記第１の相関色温度から第２の相関色温度まで時間の経過に伴って低下させ、前記所定空間の照度を、前記第１の照度から第２の照度まで時間の経過に伴って低下させ、前記第１の相関色温度は、昼白色より高く、かつ昼光色以下の相関色温度であり、前記第２の相関色温度は、昼白色より低く、かつ電球色より高い相関色温度である
ことを特徴とする照明装置。
【発明の詳細な説明】
【技術分野】
【０００１】
本発明は、照明負荷の調色、調光を行う照明制御装置、およびこれを用いた照明装置に関するものである。
【背景技術】
【０００２】
従来より、サーカディアンリズム等の人間の生体リズムにとって好ましい光環境を、一日を通して生成する照明システムが考案されている（例えば、特許文献１参照）。この照明システムは、高照度光と中照度光と低照度光とを得ることができる照明器具と、照明器具の点灯制御を行う制御装置とを備える。この制御装置は、照明器具を点灯制御することによって、朝からほぼ夕刻までの第１時間帯は高照度光を生じさせる。そして、夕刻から就寝するまでの第２時間帯は、第１時間帯における照度の最大値よりも少なくとも時間軸上の平均照度が低い中照度光を生じさせる。さらに、夜の就寝後から朝までの第３時間帯は、第２時間帯における照度の最大値よりも平均照度が低い低照度光を生じさせるものである。
【先行技術文献】
【特許文献】
【０００３】
【特許文献１】特開２０００−２５２０８４号公報
【発明の概要】
【発明が解決しようとする課題】
【０００４】
特許文献１の照明システムは、主として、起床から就寝までのほぼ１日を同一空間で過ごす病院の病室などの施設を対象として考案されたものであり、一日を朝から夕刻、夕刻から夜の就寝時、就寝後から朝、の３つの時間帯に分けている。そして、それぞれの時間帯で確保すべき照度を高照度、中照度、低照度と規定している。
【０００５】
しかしながら、これらの時間帯の設定や、各時間帯における照明制御は、オフィス、作業場等の仕事場所の就業時間を考慮したものではない。すなわち、朝から夕方または夜間までの就業時間における生体リズムを特に配慮した照明制御を行っているとはいえない。
【０００６】
また、最近の傾向として省エネルギー化が求められており、就業時間における照明制御には、生体リズムに好ましい光環境と省エネルギー化との両立が望まれている。
【０００７】
本発明は、上記事由に鑑みてなされたものであり、その目的は、仕事場所の就業時間において、生体リズムに好ましい光環境と省エネルギー化とを両立させることができる照明制御装置、およびこれを用いた照明装置を提供することにある。
【課題を解決するための手段】
【０００８】
本発明の照明制御装置は、所定空間に設けられた照明負荷の相関色温度を調節する調色、および前記照明負荷の光出力を可変として、前記所定空間の照度を調整する調光を行う照明制御装置であって、午前中の所定時刻から正午付近までの第１の時間帯において、前記照明負荷の相関色温度を第１の相関色温度に調節し、前記所定空間の照度を第１の照度に調節し、前記第１の時間帯以降に設定した午後の第２の時間帯において、前記照明負荷の相関色温度を、前記第１の相関色温度から第２の相関色温度まで時間の経過に伴って低下させ、前記所定空間の照度を、前記第１の照度から第２の照度まで時間の経過に伴って低下させ、前記第１の相関色温度は、昼白色より高く、かつ昼光色以下の相関色温度であり、前記第２の相関色温度は、昼白色より低く、かつ電球色より高い相関色温度である照明制御部を備えることを特徴とする。
【０００９】
この発明において、前記照明制御部は、前記第２の時間帯において、前記照明負荷の相関色温度および前記所定空間の照度を連動して低下させることが好ましい。
【００１２】
この発明において、前記第１の照度は、前記所定空間における水平面照度が５００ｌｘ以上であることが好ましい。
【００１３】
この発明において、前記第２の時間帯は、午後２時付近から開始することが好ましい。
【００１６】
この発明において、前記第２の照度は、前記所定空間における水平面照度が３００ｌｘ以上５００ｌｘ以下であることが好ましい。
【００１７】
この発明において、前記照明制御部は、前記第１の時間帯と前記第２の時間帯との間に、前記所定空間の照度を前記第１の照度より低い第３の照度に低下させる第３の時間帯を設けることが好ましい。
【００１８】
この発明において、前記所定空間における人の在・不在を検出する人検知部を備え、前記照明制御部は、前記人検知部が人を検出している場合、前記第１の時間帯における前記照明負荷の相関色温度および前記所定空間の照度を、前記第１の相関色温度および前記第１の照度にそれぞれ調節し、前記第２の時間帯における前記照明負荷の相関色温度および前記所定空間の照度を、前記第１の相関色温度および前記第１の照度から前記第２の相関色温度および前記第２の照度まで、時間の経過に伴ってそれぞれ低下させ、前記人検知部が人を検出していない場合、前記所定空間の照度を、現在時刻において前記人検知部が人を検出している場合の照度より低下させ、前記照明負荷の相関色温度を、現在時刻において前記人検知部が人を検出している場合の相関色温度に調節することが好ましい。
【００１９】
この発明において、外光が入射する前記所定空間の照度を検出する照度検知部を備えて、前記照明制御部は、前記照度検知部が検出した前記所定空間の照度に基づいて、前記照明負荷の光出力を制御することが好ましい。
【００２０】
この発明において、前記照明制御部は、前記第１の時間帯の直前に設けた第４の時間帯において、前記所定空間の照度を、前記第１の照度より低い第４の照度に調節することが好ましい。
【００２１】
本発明の照明装置は、所定空間に設けられた照明負荷と、前記照明負荷の相関色温度を調節する調色、および前記照明負荷の光出力を可変として、前記所定空間の照度を調整する調光を行う照明制御装置とを備え、前記照明制御装置は、午前中の所定時刻から正午付近までの第１の時間帯において、前記照明負荷の相関色温度を第１の相関色温度に調節し、前記所定空間の照度を第１の照度に調節し、前記第１の時間帯以降に設定した午後の第２の時間帯において、前記照明負荷の相関色温度を、前記第１の相関色温度から第２の相関色温度まで時間の経過に伴って低下させ、前記所定空間の照度を、前記第１の照度から第２の照度まで時間の経過に伴って低下させ、前記第１の相関色温度は、昼白色より高く、かつ昼光色以下の相関色温度であり、前記第２の相関色温度は、昼白色より低く、かつ電球色より高い相関色温度であることを特徴とする。
【発明の効果】
【００２２】
以上説明したように、本発明では、午前中の所定時刻から正午付近まで、高相関色温度、高照度の光を照射し、午後は、高相関色温度、高照度の光から、低相関色温度、低照度の光に徐々に移行させており、仕事場所の就業時間において、生体リズムに好ましい光環境と省エネルギー化とを両立させることができるという効果がある。
【図面の簡単な説明】
【００２３】
【図１】実施形態１の照明制御装置を用いた照明装置の構成を示すブロック図である。
【図２】同上の時刻と位相反応作用との関係を示すグラフ図である。
【図３】同上の波長毎のメラトニンの分泌抑制度の関係（アクションスペクトル）を示すグラフ図である。
【図４】同上の相関色温度と生体作用度との関係を示すグラフ図である。
【図５】同上の光暴露の前後におけるメラトニン濃度の差を示すグラフ図である。
【図６】同上の午前における快適性評価の結果を示すグラフ図である。
【図７】同上の午前における画面の見やすさ評価の結果を示すグラフ図である。
【図８】同上の午後における快適性評価の結果を示すグラフ図である。
【図９】同上のスケジュール情報を示すグラフ図である。
【図１０】同上のクルイトフカーブを示すグラフ図である。
【図１１】実施形態２の照明制御装置の構成を示すブロック図である。
【図１２】実施形態３の照明制御装置の構成を示すブロック図である。
【発明を実施するための形態】
【００２４】
以下、本発明の実施の形態を図面に基づいて説明する。
【００２５】
（実施形態１）
図１は、照明制御装置１を用いた照明装置Ａの構成を示す。
【００２６】
照明装置Ａは、照明制御装置１と、調色および調光が可能な照明負荷２とを備える。そして、各照明制御装置１は、通信線Ｌ１を介して操作表示部３に通信可能に接続されている。
【００２７】
照明制御装置１は、通信線Ｌ２を介して、配下の１乃至複数の照明負荷２に接続しており、照明負荷２との間で通信可能に構成される。そして、照明制御装置１は、照明制御部１ａと、情報記憶部１ｂとを備える。照明制御部１ａは、情報記憶部１ｂに格納されているスケジュール情報に基づいて、照明負荷２の調色、調光制御を行う。
【００２８】
照明負荷２は、相関色温度が互いに異なる複数種類（例えば、２種類または３種類）のＬＥＤ素子を光源として備えている。そして、照明負荷２は、照明制御部１ａからの制御信号によって各ＬＥＤ素子の発光量を増減することによって、調色および調光が行われる。なお、照明負荷２は、ＬＥＤ素子を用いるもの以外に、蛍光ランプ等の他の光源を用いた構成であってもよい。
【００２９】
操作表示部３は、タッチパネル機能を有する液晶画面や、操作ボタン等で構成されており、通信線Ｌ１を介して、１乃至複数の照明制御装置１と通信可能に構成されている。
【００３０】
以下、オフィス、作業場等の仕事場所の就業時間に照明制御装置１が行う照明制御について説明する。
【００３１】
まず、人は、サーカディアンリズム等の生体リズムを体内時計として有しており、この生体リズムは約２４時間の周期を有する。この生体リズムは、太陽光、照明光等の光を同調因子として、光の明暗サイクルに同調することが知られている。すなわち、生体リズムは、光によって位相反応作用を受けており、光を浴びるタイミングによって、位相反応作用の作用する方向および量が異なる（図２参照）。人は、午前中に光を照射されると、生体リズムの位相が前進するので、いわゆる朝型のパターンに移行して、生体リズムが適切に調整される。一方、人は、夜間に光を照射されると、生体リズムの位相が後退するので、いわゆる夜型のパターンに移行して、生体リズムが乱される。このように、生体リズムを適切に調整するためには、午前中にしっかり受光し、夜間には、受光量を減少させることが必要になる。
【００３２】
ここで、脳の視床下部にある松果体において生成されるホルモンであるメラトニンの分泌は、生体リズムによって調整されており、生体リズムの重要なマーカである。メラトニンは、夜間の体温低下や睡眠の維持を促進する働きがあると報告されている。このメラトニンは、日中は殆ど分泌されず、メラトニンの血中濃度は、夜間から上昇して、深夜から早朝にかけてピークに達する。
【００３３】
メラトニンは夜間に分泌されるが、人は光によってメラトニンの分泌が抑制されることが報告されている。図３にメラトニンの分泌抑制に対するアクションスペクトル（作用曲線）を示す。このアクションスペクトルは、横軸が光の波長、縦軸がメラトニンの分泌抑制に対する相対感度であり、４６０ｎｍをピークとする短波長光領域、つまり青色の光を照射することによって、メラトニンの分泌が抑制されやすいことを示している。
【００３４】
そして、生体リズムに対するスペクトルの作用度（影響度）を定量化するために、ドイツ工業規格（ＤＩＮ）において、［数１］の式が提案されている（ＤＩＮ  Ｖ  ５０３１−１００）。この式は、メラトニン分泌抑制に与える単位照度あたりの影響度α（以降、生体作用度と称す）を導出する。なお、光源が発する光の波長をλ、光源の分光照射照度をＸ（λ）、分光視感効率をＶ（λ）、メラトニンの分泌抑制に対する相対感度をＢ（λ）とする。
【００３５】
【数１】
0005895193.tif 000002
図４は、様々な光源を用いた場合、各光源の発光と生体作用度との関係を示す。図４において、複数のＬＥＤ素子を基板上に実装したＬＥＤモジュールは◆、ＬＥＤ電球は■、蛍光灯は▲、白熱電球は×をそれぞれ用いて、プロットしている。そして、図４に示す関係から、相関色温度と生体作用度との間には相関があることがわかる。
【００３６】
次に、図５は、光暴露の前後における唾液中のメラトニン濃度の差を示す棒グラフである。バーＹ１〜Ｙ４は、人に照射する光の相関色温度を互いに異ならせている。バーＹ１はほぼ消灯状態（Ｄｉｍ）、バーＹ２は相関色温度：２３００Ｋ、バーＹ３は相関色温度：３０００Ｋ、バーＹ４は相関色温度：５０００Ｋの光を照射した場合に、光暴露の前後における唾液中の各メラトニン濃度差を示す。また、エラーバーＹ１１〜Ｙ１４は、バーＹ１〜Ｙ４のそれぞれの結果における標準偏差を示している。そして、５０００Ｋ条件のバーＹ４は、Ｄｉｍ条件のバーＹ１と比較して、メラトニン濃度差が有意に低く、５０００Ｋ条件のバーＹ４と、２３００Ｋ条件のバーＹ２との間には有意傾向（ｐ＜０．０８）がある。そして、図５の関係から、相関色温度が低いほど、メラトニンの分泌抑制効果が低いことがわかる。
【００３７】
したがって、生体リズムの光の明暗サイクルによる同調や、相関色温度と生体作用度との関係から、生体リズムにとって、日中は、高相関色温度、高照度の光が適し、夜間は、低相関色温度、低照度の光が適しているといえる。
【００３８】
次に、光源の相関色温度および空間内の照度を主観評価した実験結果を、図６〜図８に示す。なお、この実験では、１０名の男性被験者が、各照明条件における快適性や、パーソナルコンピュータ（パソコン）の画面の見やすさを評価している。なお、図６〜図８において、照度３００ｌｘ条件下の結果は◇、照度５００ｌｘ条件下の結果は□、照度７５０ｌｘ条件下の結果は△、照度９００ｌｘ条件下の結果は○をそれぞれ用いて、プロットしている。
【００３９】
図６は、午前における快適性評価の結果である。これは、相関色温度５０００Ｋ，５７００Ｋ，６７００Ｋ，８４００Ｋと、照度３００ｌｘ，５００ｌｘ，７５０ｌｘ，９００ｌｘとの全組み合わせに対して、快適性が優れている順に、３，２，１，０，−１，−２，−３の７段階評価を行っている。図６の快適性評価によると、午前において快適性を保つには、概ね５００ｌｘ以上の照度が必要である。また、午前の快適性に対する相関色温度の影響は、照度に比べて小さい。
【００４０】
図７は、午前におけるパソコンの画面の見やすさ評価の結果である。これは、相関色温度５０００Ｋ，５７００Ｋ，６７００Ｋ，８４００Ｋと、照度３００ｌｘ，５００ｌｘ，７５０ｌｘ，９００ｌｘとの全組み合わせに対して、画面が見やすい順に、３，２，１，０，−１，−２，−３の７段階評価を行っている。図７の画面の見やすさ評価によると、相関色温度および照度による画面の見やすさへの影響は小さい。但し、相関色温度が６７００Ｋ以上では、画面が黄色く見えて不快であり、画面上の文字が見難くなるとの意見があった。この画面が黄色く見えて不快であるという意見は、相関色温度が６７００Ｋで出始め、相関色温度が８４００Ｋで顕著になった。
【００４１】
図８は、夜間における快適性評価の結果である。これは、相関色温度３０００Ｋ，３５００Ｋ，４２００Ｋ，５０００Ｋと、照度３００ｌｘ，５００ｌｘ，７５０ｌｘ，９００ｌｘとの全組み合わせに対して、快適性が優れている順に、３，２，１，０，−１，−２，−３の７段階評価を行っている。図８の快適性評価によると、夜間において快適性を保つためには、３００ｌｘ以上にする必要がある。また概して、相関色温度が３５００〜４２００Ｋの範囲において、夜間の快適性に対する評価が高い。また、照度が５００ｌｘ以上であれば、照度の違いによる快適性への影響は小さい。したがって、夜間において快適性を保つためには、概ね３００ｌｘ以上の照度が必要である。また、夜間において省エネルギー化を図るためには、照度を概ね５００ｌｘ以下にすることが望ましい。
【００４２】
そして、本実施形態の照明負荷２は、各就業者の机上にパソコンが置かれたオフィス（例えば、執務スペース等）に設けられている。照明制御装置１の照明制御部１ａは、このようなオフィスの就業時間において、生体リズムに好ましい光環境と省エネルギー化とを両立させるために、以下の照明制御を行う。
【００４３】
操作表示部３は、ユーザ操作によって、調色、調光の各制御のスケジュール情報を作成する。操作表示部３は、作成したスケジュール情報を照明制御装置１へ送信し、照明制御装置１は、受信したスケジュール情報を情報記憶部１ｂに格納する。そして、照明制御部１ａは、情報記憶部１ｂに格納しているスケジュール情報に基づいて、照明負荷２の調色、調光制御を行う。また、スケジュール情報は、操作表示部３が作成するものに限定されず、他の端末が作成したスケジュール情報であってもよい。
【００４４】
スケジュール情報は、図９に示す調色、調光の各スケジュールを設定している。具体的には、各時刻における照明負荷２が発する光の相関色温度と、オフィス内の各時刻における水平面照度とが、スケジュール情報に設定されている。このオフィス内の水平面照度とは、オフィス内において予め決められた領域（例えば、各照明装置Ａの照明範囲の中央付近に存在する机上面）における水平面照度のことである。なお、図９では、８時〜２０時までのスケジュール情報のみを示す。
【００４５】
そして、照明制御部１ａは、現在時刻を計時する時計手段を有しており、スケジュール情報に基づいて、照明負荷２の調色、調光制御を行う。
【００４６】
照明負荷２は、相関色温度が互いに異なる複数種類のＬＥＤ素子を光源として備えている。そして、照明制御部１ａは、各ＬＥＤ素子に供給する電流を、相関色温度と水平面照度との組み合わせに対応付けた出力テーブルを予め保持している。そして、照明制御部１ａは、各ＬＥＤ素子に供給する電流を、スケジュール情報に設定されている相関色温度と水平面照度との組み合わせに対応する値に制御する。すなわち、照明制御部１ａは、スケジュール情報によって決められた時刻に決められた調色、調光制御を実行するタイマー制御を行うものである。
【００４７】
まず、就業開始時刻である朝の９時〜正午１２時までの午前の就業時間帯Ｔ２（第１の時間帯）において、照明制御部１ａは、照明負荷２の相関色温度を６０００Ｋに調整し、オフィス内の水平面照度を７５０ｌｘに調整する。したがって、午前の就業時間帯Ｔ２において、高い相関色温度の光を高照度で就業者に照射することによって、仕事を開始した就業者の生体リズムを活性化して、覚醒感を維持させることができる。なお、図９において、相関色温度を６０００Ｋに調整している領域は、クロスハッチングで表す。
【００４８】
この午前の就業時間帯Ｔ２における照明負荷２の相関色温度は、ＪＩＳ  Ｚ９１１２に規定される昼白色「４６００〜５５００Ｋ」相当より高い値（例えば、５５００Ｋより高い値）に設定されることが望ましい。このスケジュール情報では６０００Ｋに設定している。これは、従来のオフィスにおいて主に使用されている蛍光灯の相関色温度が昼白色であり、この昼白色より高い相関色温度に設定することによって、従来に比べて覚醒感を向上させることができる。
【００４９】
さらに、午前の就業時間帯Ｔ２における照明負荷２の相関色温度は、ＪＩＳ  Ｚ９１１２に規定される昼光色「５７００〜７１００Ｋ」相当以下の値（例えば、７１００Ｋ以下）に設定されることが望ましい。これは、オフィスにおいて用いられるパソコンのモニタ画面が黄ばんで見える現象を防ぐためである。
【００５０】
また、午前の就業時間帯Ｔ２におけるオフィス内の水平面照度は、快適性を保つために概ね５００ｌｘ以上が望ましく、このスケジュール情報では７５０ｌｘに設定している。
【００５１】
なお、午前の就業時間帯Ｔ２は、朝の就業開始時刻から昼休みが始まる正午１２時付近までの時間帯であればよい。
【００５２】
また、就業時間前の朝の８時〜９時までの就業前時間帯Ｔ１（第４の時間帯）において、照明制御部１ａは、照明負荷２の相関色温度を５０００Ｋに調整し、オフィス内の水平面照度を５００ｌｘに調整する。したがって、オフィス内に就業者の少ない就業前時間帯Ｔ１において、オフィス内の照度を午前の就業時間帯Ｔ２に比べて低下させることによって、就業者の不満を抑えながら省エネルギー化を図ることができる。また、就業前時間帯Ｔ１において、相関色温度を午前の就業時間帯Ｔ２に比べて低下させることによって、就業前の就業者をリラックスさせる効果がある。なお、図９において、相関色温度を５０００Ｋに調整している領域は、右上がりのハッチングで表す。
【００５３】
次に、正午１２時〜１３時までの昼休み時間帯Ｔ３において、照明制御部１ａは、照明負荷２の相関色温度を５０００Ｋに調整し、オフィス内の水平面照度を２００ｌｘに調整する。したがって、昼休み時間帯Ｔ３において、オフィス内の照度を午前の就業時間帯Ｔ２に比べて低下させることによって、省エネルギー化を図ることができる。また、昼休み時間帯Ｔ３において、相関色温度を午前の就業時間帯Ｔ２に比べて低下させることによって、昼休み中の就業者をリラックスさせる効果がある。
【００５４】
次に、就業再開時刻である昼の１３時〜１４時までの午後の就業時間帯Ｔ４において、照明制御部１ａは、照明負荷２の相関色温度を６０００Ｋに調整し、オフィス内の水平面照度を７５０ｌｘに調整する。したがって、午前中と同じように、高い相関色温度の光を高照度で就業者に照射することによって、仕事を再開した就業者の生体リズムを活性化して、覚醒感を維持させることができる。これは、午後の１３時頃に発生する眠気、所謂ポストランチディップを防止するためである。なお、午後の就業時間帯Ｔ４は、ポストランチディップが発生しやすい時刻を含む午後の時間帯であればよく、午後の就業再開時刻から１４時付近までの時間帯が効果的である。
【００５５】
次に、昼の１４時〜夕方１７時までの午後の就業時間帯Ｔ５（第２の時間帯）において、照明制御部１ａは、照明負荷２の相関色温度とオフィス内の水平面照度とを連動させて徐々に低下させる。具体的に、照明制御部１ａは、照明負荷２の相関色温度を６０００Ｋから４０００Ｋにまで徐々に低下させ、オフィス内の水平面照度を７５０ｌｘから４００ｌｘにまで徐々に低下させる。すなわち、午後の就業時間帯Ｔ５において、照明制御部１ａは、時間の経過に伴って、相関色温度と水平面照度とを連動させて同時に徐々に低下させている。なお、図９において、相関色温度を６０００Ｋから４０００Ｋにまで低下させている領域は、ドットで表す。
【００５６】
この午後の就業時間帯Ｔ５の終了時における照明負荷２の相関色温度は、ＪＩＳ  Ｚ９１１２に規定される昼白色「４６００〜５５００Ｋ」相当より低い値（例えば、４６００Ｋより低い値）に設定されることが望ましい。このスケジュール情報では４０００Ｋに設定している。これは、従来のオフィスにおいて主に使用されている蛍光灯の相関色温度が昼白色であり、この昼白色より低い相関色温度に設定することによって、従来に比べて生体リズムに配慮することができる。
【００５７】
さらに、午後の就業時間帯Ｔ５の終了時における照明負荷２の相関色温度は、ＪＩＳ  Ｚ９１１２に規定される電球色「２６００〜３２５０Ｋ」相当より高い値（例えば、３２５０Ｋより高い値）に設定されることが望ましい。このスケジュール情報では４０００Ｋに設定している。これは、照明負荷２の相関色温度を必要以上に低下させると、就業者が必要以上にリラックスしすぎる虞があり、オフィスでの仕事効率が低下することを抑えるためである。
【００５８】
また、午後の就業時間帯Ｔ５の終了時におけるオフィス内の水平面照度は、夜間における快適性の確保と省エネルギー化とを図るために、概ね３００ｌｘ以上５００ｌｘ以下に設定されることが望ましい。このスケジュール情報では４００ｌｘに設定している。
【００５９】
また、午後の就業時間帯Ｔ５における相関色温度および水平面照度の連動制御は、図１０に示すクルイトフカーブに基づいて行われる。クルイトフカーブは、横軸が相関色温度、縦軸が照度であり、２つの曲線Ｗ１，Ｗ２に挟まれた領域は、人が快適であると感じる快適領域Ｚ１である。また、一方の曲線Ｗ１の外側は、人が暑苦しくて不快であると感じる不快領域Ｚ２であり、他方の曲線Ｗ２の外側は、人が陰気で不快であると感じる不快領域Ｚ３である。そして、照明制御部１ａは、午後の就業時間帯Ｔ５において快適領域Ｚ１を維持するように、相関色温度および水平面照度を、違和感が生じないように徐々に低下させ、且つ生体リズムへの悪影響を避ける。なお、図１０において、照明制御部１ａは、午後の就業時間帯Ｔ５における相関色温度および水平面照度を、動作点Ｐ１［６０００Ｋ、７５０ｌｘ］から動作点Ｐ２［４０００Ｋ、４００ｌｘ］へ変化させている。
【００６０】
このように、照明制御部１ａは、午後の就業時間帯Ｔ５において、生体リズムに配慮して、高相関色温度、高照度の光から、低相関色温度、低照度の光に徐々に移行させている。さらに、照明制御部１ａは、午後の就業時間帯Ｔ５において、相関色温度および水平面照度が、クルイトフカーブの快適領域Ｚ１を維持するように制御するので、空間の快適性を損なうことはない。また、照明制御部１ａは、午後の就業時間帯Ｔ５において、水平面照度を徐々に低下させるので、日中の全時間帯において高照度を維持する場合に比べて、省エネルギー化を図ることができる。
【００６１】
そして、午後の就業時間帯Ｔ５以降の夜間就業時間帯Ｔ６において、照明制御部１ａは、午後の就業時間帯Ｔ５の終了時における照明負荷２の相関色温度、オフィス内の水平面照度を維持する。このスケジュール情報では、照明負荷２の相関色温度を４０００Ｋに調整し、オフィス内の水平面照度を４００ｌｘに調整する。したがって、夜間就業時間帯Ｔ６では、低照度、低相関色温度の光を用いて、生体リズムに配慮した照明が行われる。なお、図９において、相関色温度を４０００Ｋに調整している領域は、右下がりのハッチングで表す。また、夜間就業時間帯Ｔ６において、相関色温度は、夜間の快適性に対する評価が高い３５００〜４２００Ｋの範囲に設定されることが望ましい。さらに、夜間就業時間帯Ｔ６において、夜間における快適性の確保と省エネルギー化とを図るために、水平面照度は、概ね３００ｌｘ以上５００ｌｘ以下に設定されることが望ましい。
【００６２】
このように、照明制御装置１は、日中は、高相関色温度、高照度の光を照射し、夜間は、低相関色温度、低照度の光を照射することによって、生体リズムに配慮している。さらに、照明制御装置１は、日中の全時間帯において高照度を維持することなく、午後の就業時間帯Ｔ５において水平面照度を徐々に低下させるので、省エネルギー化を図ることができる。すなわち、オフィスの就業時間において、生体リズムに好ましい光環境と省エネルギー化とを両立させることができる。
【００６３】
なお、照明制御装置１を用いた照明装置Ａは、オフィス以外に、作業場等の仕事場を照明対象としてもよい。
【００６４】
（実施形態２）
本実施形態の照明制御装置１は、図１１に示すように、実施形態１の構成に人検知部１ｃを設けたものである。なお、実施形態１と同様の構成には同一の符号を付して、説明は省略する。
【００６５】
人検知部１ｃは、オフィス内の人の在・不在を検出し、この検出結果を照明制御部１ａへ出力する。照明制御部１ａは、人検知部１ｃの検出結果に基づいて、以下の照明制御を行う。
【００６６】
まず、照明制御部１ａは、オフィス内に人が存在する場合、実施形態１と同様に、スケジュール情報に基づいたタイマー制御を行い、照明負荷２の相関色温度、オフィス内の水平面照度を調整する。
【００６７】
また、照明制御部１ａは、オフィス内に人が存在しない場合、照明負荷２の相関色温度、オフィス内の水平面照度を、以下のように調整する。
【００６８】
まず、照明制御部１ａは、オフィス内に人が存在しない場合、照明負荷２の相関色温度を、スケジュール情報に基づいたタイマー制御によって調整する。すなわち、照明負荷２の相関色温度は、オフィス内の人の在・不在に関わらず、スケジュール情報に基づいたタイマー制御が行われる。
【００６９】
また、照明制御部１ａは、オフィス内に人が存在しない場合、オフィス内の水平面照度を、現在時刻における上述のタイマー制御による水平面照度より低下させる。例えば、午前の就業時間帯Ｔ２において、オフィス内に人が存在しない場合、照明制御部１ａは、オフィス内の水平面照度を、７５０ｌｘより低い値にまで低下させる。午後の就業時間帯Ｔ５においても、オフィス内に人が存在しない場合、照明制御部１ａは、オフィス内の水平面照度を、スケジュール情報に設定されている現在時刻の水平面照度よりも低下させる。そして、オフィス内の人を検知すると、オフィス内の水平面照度を、スケジュール情報に設定されている現在時刻の水平面照度にまで増加させる。
【００７０】
すなわち、オフィス内に人が存在しない場合、照明制御部１ａは、水平面照度を低下させて、省エネルギー化を図る。さらに、オフィス内に人が存在しない場合、照明負荷２の相関色温度は、スケジュール情報に基づくタイマー制御を継続することによって、オフィス内に人が現れた時の違和感を抑えることができる。
【００７１】
また、複数の照明装置Ａを同一フロアに設置した場合、一方の照明装置Ａの照明範囲に人が存在し、他方の照明装置Ａの照明範囲に人が存在しない状態が発生し得る。このような場合でも、照明負荷２の相関色温度が照明装置Ａ毎に異なることがなく、オフィス内の就業者から見て、人がいないエリアの光色が自分のエリアの光色と異なって見えるという違和感を抑えることができる。
【００７２】
（実施形態３）
本実施形態の照明制御装置１は、図１２に示すように、実施形態１の構成に明るさ検知部１ｄを設けたものである。なお、実施形態１と同様の構成には同一の符号を付して、説明は省略する。
【００７３】
本実施形態の照明負荷２は、窓を有するオフィスに設けられている。したがって、オフィス内に太陽光等の外光が入射して、オフィス内の照度が変化する。
【００７４】
そして、明るさ検知部１ｄは、オフィス内において予め決められた領域（例えば、各照明装置Ａの照明範囲の中央付近に存在する机上面）における水平面照度を検出し、この検出結果を照明制御部１ａへ出力する。
【００７５】
照明制御部１ａは、明るさ検知部１ｄの検出結果が、スケジュール情報に設定された水平面照度となるように、照明負荷２の光出力を制御する。したがって、外光が入射している場合、照明負荷２の光出力を低下させることによって、外光の有無に関わらず、スケジュール情報にしたがった水平面照度に調整することができる。
【００７６】
また、照明制御部１ａは、明るさ検知部１ｄの検出結果に基づいて照明負荷２の光出力を制御した場合でも、照明負荷２の相関色温度は、スケジュール情報に基づくタイマー制御を実行する。すなわち、照明制御部１ａは、明るさ検知部１ｄの検出結果に基づいて照明負荷２の光出力を変動させた場合でも、照明負荷２の相関色温度は、スケジュール情報に基づくタイマー制御を維持する。例えば、複数の照明装置Ａを同一フロアに設置した場合、窓際の照明装置Ａの照明範囲に外光が入射し、壁際の照明装置Ａの照明範囲には外光が入射しない状態が発生し得る。このような場合でも、照明負荷２の相関色温度が照明装置Ａ毎に異なることがなく、他のエリアの光色が自分のエリアの光色と異なって見えるという違和感を抑えることができる。
【符号の説明】
【００７７】
Ａ  照明装置
１  照明制御装置
１ａ  照明制御部
１ｂ  情報記憶部
２  照明負荷
３  操作表示部
【図１】
0005895193.tif 000003
【図２】
0005895193.tif 000004
【図３】
0005895193.tif 000005
【図４】
0005895193.tif 000006
【図５】
0005895193.tif 000007
【図６】
0005895193.tif 000008
【図７】
0005895193.tif 000009
【図８】
0005895193.tif 000010
【図９】
0005895193.tif 000011
【図１０】
0005895193.tif 000012
【図１１】
0005895193.tif 000013
【図１２】
0005895193.tif 000014